(57)【要約】【課題】買い物袋を芯材として任意外観形状携帯ケースに生活者自身が収納時に任意で詰め込むことにより、任意外観形状携帯ケースにポーズを取らせることができ、使用するときは買い物袋として、買い物袋を収納した後は、手軽で探す手間も省けマスコットとして吊り下げておける、任意外観形状携帯ケース付買い物袋を提供する。【解決手段】買い物袋の素材は近年、薄手で強度を有し、普及している素材を使用し、その買い物袋を連結した任意外観形状のケースの芯材に使用することで詰め込みやすく、外観形状を業種、流通、店舗、生活者の独自性を強調できるよう、多様化する要望に対応できるよう、キャラクターや造形物に生産段階で成形物、縫製物などの任意の素材を使用し、見たてられ、生活者に渡ったときには生活者自身の手で思い思いのポーズを任意外観形状携帯ケースつけ易くできる。【選択図】図８
2009142459.tif 000002
【特許請求の範囲】
【請求項１】
買い物袋を連結一体化した任意外観形状携帯ケースの芯材として使用し、任意外観形状携帯ケースはキャラクターや造形物などの形状に多様化でき、汎用することができる。
【請求項２】
買い物袋を芯材として任意外観形状携帯ケースに収納する時、立体感を保持し、キャラクターや造形物のポーズを任意につけ易くし、生活者の気分によって思い思い独自の、自分だけの買い物袋のポーズをつけた携帯ケースができ、その任意外観形状から自分専用のマスコットとして携帯し易くする。
【請求項３】
任意外観形状が球形造形物の場合、カプセル自販機などにカプセルを使用しないで、衛生面を配慮すると共に、容易に払い出しできるよう表面を透明袋などで密封してカプセルとしても使用できる。
【発明の詳細な説明】
【技術分野】
【０００１】
本発明は任意外観形状携帯ケースと買い物袋を連結一体化させ、買い物袋を芯材として使用することで、任意外観形状携帯ケースの形状を保持し、ポーズを取り易く、使い易く、携帯し易く工夫した。
【背景技術】
【０００２】
既に多くの買い物袋が市販されていて、ケース付のものもあるがケース自体の付加価値が乏しく、それらの問題点を解決する方法としてケースをキャラクター、造形物などの任意の外観形状に加工し、買い物袋とケースを別々にならないよう連結一体化させ紛失防止の役目も果たし、芯材としての買い物袋を任意でケースに詰めることでポーズをつけられ、また立体感を保持できケース自体の付加価値を高められる。
【０００３】
買い物袋の素材は近年、薄手の素材が普及しており連結一体化された任意外観形状携帯ケースの中に詰め込み易く、詰め込み終了後も手ごろな大きさに出来きる、また任意外観形状携帯ケースに立体感をもたせる方法として、ぬいぐるみなどの中身に“ぱんや”や“あんこ”と言われる芯材を使用するが、その代替素材として薄手で作られた買い物袋を使用することで普段はマスコットとして持ち歩けバックや鞄に吊るせるので取り出し易く、探す手間も無く、生活者にとって利便性を訴求することが出来る。
【０００４】
買い物時にサービスでもらえる買い物袋だが有料化が進み個人で所有する方向に市場が向き、本発明であるケースをなじみ易いキャラクターなどに加工することで若年齢層にも愛着を待たせることが出来、若いうちから資源の保護意識を高める効果も期待できる。
【特許文献１】特許公開２００１−３５４３４０
【特許文献２】登録実用新案第３１３５４３９
【特許文献３】登録実用新案第３１３０５２９
【発明の開示】
【発明が解決しようとする課題】
【０００５】
解決しようとする問題点は、個人所有として自分だけの買い物袋を持ちたい生活者の要望を掘り起こし、満たすことにある。買い物袋を芯材として使用することで収納時は外観上、買い物袋とは見られず任意外観形状携帯ケースの特徴であるキャラクターや造形物として携帯し易く外観に親しみを持たせることと、生活者の気分に応じてポーズを付け易くでき、より多くの生活者に普及が期待できる。
【課題を解決するための手段】
【０００６】
本発明の特徴は買い物袋を任意外観形状携帯ケースに詰め込む時、任意に立体感、ポーズを取れ易くすることと、買い物袋を芯材として連結一体化された任意外観形状携帯ケースに収納出来る、その携帯性を最も主要な特徴とする。
【発明の効果】
【０００７】
本発明は買い物袋と任意外観形状携帯ケースを連結一体化し、ケースの芯材の代わりに買い物袋を使用することで任意外観形状携帯ケースを立体的に見せられ、さらにはキャラクターや造形物に買い物袋の詰め方でポーズを付加することを可能にする利点がある。
【発明を実施するための最良の形態】
【０００８】
任意外観形状携帯ケースに買い物袋を中に押し込めるよう切込みや入口を付け任意に収納した後、切込みや入口をケースの一部で塞ぐことにより中に買い物袋が入っていることを思わせない形態である。そして買い物袋は任意外観形状携帯ケースの内側に生産時点で連結一体化されていることを最良の形態とする。
【実施例１】
【０００９】
図１は買い物袋（符号１）と連結一体化された任意外観形状携帯ケース（符号２）試作写真例である。買い物袋の形状は本発明の主旨とは関係ない。
【００１０】
図２は任意外観形状携帯ケース（符号２）の試作写真例であり符号４は吊り下げ紐の例であり既存技術で多様でき一例にすぎない。
【００１１】
図３は本発明本体の使用手順説明写真であり最小サイズ（ア-１）のケースから通常の大きさの買い物袋（ア-２）が使える状態までの写真例である。
【００１２】
図４はケースに買い物袋を出し入れする口（符号３）の一例を表した物である。連結一体化の方法に関しては既存技術を多用でき本発明の主旨とは関係ない。
【００１３】
図５は買い物袋（符号１）と連結一体化された任意外観形状携帯ケース（符号２）の図例である。
【００１４】
図５の中央にある人型（符号２）は任意外観形状の一例でありキャラクターなどの造形に置き換えられることを前提とした図例である。
【００１５】
図６は中に買い物袋を収納した状態の任意外観形状携帯ケース（符号２）である。
【００１６】
図７は買い物袋の詰め込み方により、ポーズを任意に作れることを図（符号５）にした一例図。
【００１７】
図８は買い物袋を任意外観形状携帯ケースから使用できるまでの簡単な使用手順説明図である。
【００１８】
図８の買い物袋の形状は一例であり本発明とは関係ない。
【実施例２】
【００１９】
図３、図８の手順説明で判るように小さなケースに大きな買い物袋が収納されているところが伺え、使わないときの携帯性と使用するときの機能性を併せ持つことが出来る。
【実施例３】
【００２０】
符号４の吊り下げ紐は使用しないときの携帯性を重視し一例として紐を掲げたが、その他接続部品を使用しても、この発明の主旨は包括され、生活者に優しく便利な任意外観形状携帯ケース付買い物袋を提供できる。
【産業上の利用可能性】
【００２１】
本発明は流通、売り場などの独自性を活かし、それぞれを個別化することで生活者の多様な要望に応じられるよう生産時に形状を変化させることで生産の合理性が得られる。また本発明の特徴を活かし、球形形状の場合、カプセル自販機にも直接投入でき、より多くの生活者に安く手頃に提供でき販路拡大にも役立つ。
【図面の簡単な説明】
【００２２】
【図１】買い物袋を展開した試作写真例である。
【図２】任意外観形状携帯ケースの球形による一例試作写真である。
【図３】本発明のケースから買い物袋を広げるまでの使用手順説明、試作写真例である。
【図４】記号３は買い物袋を収納するための口、切り込みや蓋を記号３で表した図例と試作写真例である。
【図５】任意外観形状携帯ケースから買い物袋を展開した図例である。
【図６】任意外観形状携帯ケースを人型にした一例図である。
【図７】買い物袋の詰め込み方によりポーズを任意に作れることを表した図例である。
【図８】本発明のケースから買い物袋を取り出し広げるまでの使用手順説明図である。
【符号の説明】
【００２３】
１    買い物袋
２    任意外観形状携帯ケース
３    ケースに買い物袋を収納するための口、切り込みや蓋
４    吊り下げ紐
５    買い物袋を任意外観形状携帯ケースに詰め込んでポーズをつけた一例
【図１】
2009142459.tif 000003
【図２】
2009142459.tif 000004
【図３】
2009142459.tif 000005
【図４】
2009142459.tif 000006
【図５】
2009142459.tif 000007
【図６】
2009142459.tif 000008
【図７】
2009142459.tif 000009
【図８】
2009142459.tif 000010